(57)【特許請求の範囲】
【請求項１】
パネルの側端に連結部材を突設し、支柱を介して複数のパネルを開閉可能に連結したパーテーションにおいて、支柱が、両側端部に括弧形片を有する同一形状の複数の割形材の中心を中心として対等位置に配して寄せ合わせるとともに、中心を通るネジにより締め付けて組み立てた構造であって、隣接する割形材の括弧形片の合体により軸ポケットが形成され、パネルの連結部材には、その軸ポケットに脱出不能に嵌まる軸部を形成し、割形材の括弧形片が円弧形であって、その括弧形片の合体により構成され若干の隙間を設けた軸ポケットに、連結部材の軸部が一定範囲に回動自在に嵌まるよう円形断面であり、また、パネルが蟻溝形の竪フレームによって枠組みされ、連結部材においてはその蟻溝に嵌まる脚部から細い胴部を介して円管形の軸部が突設していることを特徴とするパーテーションにおけるパネルの連結装置。
【発明の詳細な説明】
【０００１】
【発明の属する技術分野】
この発明は、間仕切りとしてのパーテーションにおいて、押出形材を使用したパネルの連結装置に関する。
【０００２】
【従来の技術】
パーテーションにおいては、パネルがその両側の支柱によって支持されると共に、一本の支柱に二枚、三枚または四枚というようにパネルが連結されることによって、室内が幾つかに仕切られる。支柱を介して連結される複数のパネルの向きは、直列、直角が多いが、方向自在にこれに限定されることもないため、支柱には回動可能にパネルが連結される。その構造は、支柱の材質等とも相俟って様々である。
【０００３】
支柱および連結部材にアルミ等の押出形材が使用される例としては、特開平１０−１７９３００号公報に記載された場合を挙げることができる。
【０００４】
これは言わば蝶番構造であって、蝶番のピンに相当する支柱に、軸受けとしての筒部を有する複数の連結部材がパネルに間隔おきに取り付けられ、パネル相互において筒部が支柱に交互に嵌まっているため、支柱を中心にパネル間の角度が自由に設定される。
【０００５】
【発明が解決しようとする課題】
上記のような従来のパネル連結装置によれば、支柱は、連結部材の筒部が嵌まる程度に小径となることは避けられなく、そのため、支柱としての強度に不足し、特に、床よりも例えば３０ｃｍ程度にパネルを上げて宙吊りのように支持するには安定性が得られなかった。
【０００６】
また、パネルには、複数の連結部材を上下に所定の間隔をおいて取り付ける必要があり、また、その間隔が他のパネルの連結部材を挾む間隔に設定する必要がある等、構造が複雑であり、組立ても容易ではなかった。
【０００７】
この発明は、上記のような実情に鑑みて、支柱が丈夫な構造となり、また、パネルの連結が簡単であり、安定した自由なパーテーションの構築が容易となるパーテーションのパネル連結装置を提供することを目的とした。
【０００８】
【課題を解決するための手段】
上記の目的を達成するために、この発明は、パネルの側端に連結部材を突設し、支柱を介して複数のパネルを開閉可能に連結したパーテーションにおいて、支柱が、両側端部に括弧形片を有する同一形状の複数の割形材の中心を中心として対等位置に配して寄せ合わせるとともに、中心を通るネジにより締め付けて組み立てた構造であって、隣接する割形材の括弧形片の合体により軸ポケットが形成され、パネルの連結部材には、その軸ポケットに脱出不能に嵌まる軸部を形成し、割形材の括弧形片が円弧形であって、その括弧形片の合体により構成され若干の隙間を設けた軸ポケットに、連結部材の軸部が一定範囲に回動自在に嵌まるよう円形断面であり、また、パネルが蟻溝形の竪フレームによって枠組みされ、連結部材においてはその蟻溝に嵌まる脚部から細い胴部を介して円管形の軸部が突設していることを特徴とするパーテーションにおけるパネルの連結装置を構成した。
【０００９】
上記の構成によれば、パーテーションを組み立てるには、支柱の割形材を合わせる際に、空いている括弧形片と括弧形片との間に、パネルの軸部を差し込み、割形材の結合をネジの締付けにより完結し、支柱を組み立てる。そうすると、両括弧形片の合体によって出来た軸ポケットに軸部が脱出不能に嵌まった状態となる。
【００１０】
【発明の実施の形態】
この発明において、支柱１を構成する割形材１ａの括弧形片１３の形状については、パネル２を自由な方向に設定できる点からすると、円弧形であることが望ましい。しかし、通常のパーテーションにおいて、パネルの方向はいくつかの角度に決まっているので、軸ポケット６が例えば六角形、八角形となるように、括弧形片１３が鉤括弧あるいは角括弧形であっても良い。そして、この多角形の軸ポケット６に多角形の軸部７が嵌まる状態では、パネル２の方向を一定に安定して保持できるので、その安定性を要する場合に適している。
【００１１】
支柱１を構成する複数の割形材１ａの結合手段については、ネジ９を用いることが好ましい。
【００１２】
一本の支柱１に連結されるパネル２の数やパネル相互の方向は限定されるものではないが、例えば、直列、直角、放射状等の連結が考えられる。また、パネル２を連結する枚数に対して、軸ポケット６が余る場合には、軸部７の代わりに軸材８を嵌めておくことが望ましい。また、パネルを床から持ち上がる宙吊り状態に支持する場合にも、軸ポケットの下端部に軸材を嵌入し、それによって支持できる。
【００１３】
【発明の効果】
以上説明したように、この発明によれば、支柱が軸ポケット構成用の複数の割形材の丈夫な結合体であって、強度的にパネルを安定して支持でき、たとえ宙吊り状であっても安定性が得られ、また、構造が簡単であって、パネルの連結が容易であるので、パーテーションの自由な設定あるいは組立てを容易になすことができるという優れた効果がある。
【００１４】
【実施例】
次に、この発明の実施例を図面に基づいて説明する。
【００１５】
図１ないし図４は、支柱１を介して二枚のパネル２，２が角度変向可能に連結され、その連結部材３がパネル２の竪フレーム５に組み付けられ、連結部材３に円形の軸部７が形成され、支柱１には、両側端にそれぞれ軸部７，７が脱出不能に嵌まる軸ポケット６，６が構成される。この軸ポケット６，６には隙間６ａ，６ａが設けられている。
【００１６】
支柱１は、パネル２の軸部７を軸ポケット６に側面から組み入れ得るように、二つの割形材１ａ，１ａからなり、上下幾段かにおいてネジ９により結合される。割形材１ａの断面形状については、側面壁１１の両端部内面に円弧の括弧形片１３を形成したもので、両方の割形材１ａ，１ａの括弧形片１３，１３が合体すると、両端に９０度強の開き角度αのポケット口１５が開口する支柱１が組み立てられる。
【００１７】
両方の割形材１ａ，１ａのネジ９による結合については、一方の割形材１ａに雌ネジ９ａを固着し、他方の割形材１ａには雄ネジ９ｂの通し孔１０が形成される。
【００１８】
パネル２は、ハニカム構造体を主体としたもので、上下フレーム４，４および竪フレーム５，５によって枠組みされ、竪フレーム５が蟻溝形であるので、連結部材３にはその蟻溝に嵌まる脚部１７を有し、脚部１７から細い胴部１９を介して軸部７が突出し、その軸部７が円管形に形成される。そして、軸部７を中心にポケット口１５に胴部１９が回動する範囲が約９０度であって、支柱１の左右方向に対しては４５度となっている。したがって、両方のパネル２，２を最も寄り合わせた角度βは約９０度となる（図４）。
【００１９】
図５は、支柱１に三枚（または四枚）のパネル２を連結する場合を示したもので、支柱１は、四分割の割形材１ａ，１ａ，１ａ，１ａからなり、交差するネジ９，９により一体に組み立てられ、略正四角形の断面の四隅に軸ポケット６，６，６，６を有し、各隅に外角方向に約９０度にポケット口１５が開口した組立て形態となっている。
【００２０】
各割形材１ａは、同一の断面形状であって、この場合も、側面壁１１の両端に円弧形の括弧形片１３，１３が形成される。また、余りの軸ポケット６には軸材８が嵌入される。なお、中心に補強芯材１０あるいは足１２（図１参照）の軸を入れることもできる。
【図面の簡単な説明】
【図１】この発明によるパーテーションの斜視図である。
【図２】同パーテーションにおける支柱の分解斜視図である。
【図３】図１のＡ−Ａ線矢視におけるパネル直列状態を示す拡大断面図である。
【図４】同じようにパネル直角状態を示す断面図である。
【図５】他の実施例を示す断面図である。
【符号の説明】
１  支柱
１ａ  割形材
２  パネル
３  連結部材
４  上下フレーム
５  竪フレーム
６  軸ポケット
６ａ  軸ポケットの隙間
７  軸部
１１  側面壁
１３  括弧形片
１７  脚部
１９  胴部
【図１】
0003601813.tif 000002
【図２】
0003601813.tif 000003
【図３】
0003601813.tif 000004
【図４】
0003601813.tif 000005
【図５】
0003601813.tif 000006